(57)【要約】      （修正有）【課題】固定構造を有する外力や衝撃力に強い駆動装置を提供する。【解決手段】固定座１、モータ部２およびハウジング３２，３３を備える。固定座は、穿孔１１を有する。モータ部は、本体２１と、本体を貫通して本体の両端に突出し回転可能なシャフト２２とを有する。シャフトは、一端が外部装置を駆動する駆動端であり、他端が固定端２２２である。モータ部２は、固定座１に装着されており、シャフトは、固定座の穿孔を貫通する。ハウジングは、内部に形成されている格納空間３１、および、シャフトの固定端２２２に対応して内壁が窪んで形成されており支持ユニット（ベアリング２３）を収容する格納室を有し、固定座に固定される。格納空間にモータ部が収容される。【選択図】図２
0003185099.tif 000002
【実用新案登録請求の範囲】
【請求項１】
固定座（１）、モータ部（２）およびハウジング（３）を備え、
前記固定座（１）は、穿孔（１１）を有し、
前記モータ部（２）は、本体（２１）と、当該本体（２１）を貫通して前記本体（２１）の両端に突出し回転可能なシャフト（２２）とを有し、
前記シャフト（２２）は、一端が外部装置（４）を駆動する駆動端（２２１）であり、他端が固定端（２２２）であり、
前記モータ部（２）は、前記固定座（１）に装着されており、
前記シャフト（２２）は、前記固定座（１）の前記穿孔（１１）を貫通し、
前記ハウジング（３）は、内部に形成されている格納空間（３１）、および、前記シャフト（２２）の前記固定端（２２２）に対応する内壁が窪んで形成されており支持ユニットを収容する格納室（３３２）を有し、前記固定座（１）に固定されており、前記格納空間（３１）に前記モータ部（２）が収容されており、前記格納室（３３２）に前記シャフト（２２）の前記固定端（２２２）が収容されており、前記固定端が前記支持ユニットに接続されていることを特徴とする駆動装置。
【請求項２】
前記ハウジング（３）は、両端に開口部を有する筒状の筒部（３２）、および、一端の前記開口部に被さる蓋部（３３）を有し、
前記蓋部（３３）、前記筒部（３２）、および、前記固定座（１）には、それぞれ複数の締付孔（３３１、３２１、１２）が形成されており、
前記蓋部（３３）の締付孔（３３１）と前記筒部（３２）の締付孔（３２１）と前記固定座（１）の締付孔（１２）は、互いに対応しており、
前記蓋部（３３）、前記筒部（３２）、および、前記固定座（１）は、締付孔（３３１、３２１、１２）に締付ユニット（５）を締め付けることで結合されており、
前記格納室（３３２）は、前記蓋部（３３）の内壁が窪んで形成されていることを特徴とする請求項１に記載の駆動装置。
【請求項３】
前記支持ユニットは、ベアリング（２３）であることを特徴とする請求項１に記載の駆動装置。
【考案の詳細な説明】
【技術分野】
【０００１】
本考案は、駆動装置に関し、駆動装置の固定構造に関するものである。
【背景技術】
【０００２】
従来の外転形ブラシレスモータを支持するためのベアリングは固定子端に配置されることが一般的である。回転子端は支持ユニットを欠くため、衝撃または外力を受けて損壊するおそれがある。
【考案の概要】
【考案が解決しようとする課題】
【０００３】
本考案は、上述の問題を鑑みてなされたものであり、その目的は、固定構造を有する駆動装置を提供することを主な目的とする。
【課題を解決するための手段】
【０００４】
上述の目的を達成するために、本考案による駆動装置は、固定座（１）、モータ部（２）およびハウジング（３）を備える。
固定座（１）は、穿孔（１１）を有する。モータ部（２）は、本体（２１）と、本体（２１）を貫通して本体（２１）の両端に突出し回転可能なシャフト（２２）とを有する。
シャフト（２２）は、一端が外部装置（４）を駆動する駆動端（２２１）であり、他端が固定端（２２２）である。モータ部（２）は、固定座（１）に装着されており、シャフト（２２）は、固定座（１）の穿孔（１１）を貫通する。
ハウジング（３）は、内部に形成されている格納空間（３１）、および、シャフト（２２）の固定端（２２２）に対応する内壁が窪んで形成されており支持ユニットを収容する格納室（３３２）を有し、固定座（１）に固定されており、格納空間（３１）にモータ部（２）が収容されている。格納室（３３２）にシャフト（２２）の固定端（２２２）が収容されており、固定端が支持ユニットに接続されている。
【図面の簡単な説明】
【０００５】
【図１】本考案の一実施形態による駆動装置を示す斜視図である。
【図２】本考案の一実施形態による駆動装置を示す斜視分解図である。
【図３】本考案の一実施形態による駆動装置を示す断面図である。
【考案を実施するための形態】
【０００６】
以下、本考案の実施形態による駆動装置の固定構造を図面に基づいて説明する。
（一実施形態）
図１から図３に示すように、本考案の一実施形態による駆動装置は、固定座１、モータ部２およびハウジング３を備える。図３に示すように、固定座１は、モータ部２の駆動力を受ける外部装置４の上に装着され、かつ中央をする穿孔１１を有する。
【０００７】
図２および図３に示すように、モータ部２は本体２１と、本体２１を貫通して本体２１の両端に突出しかつ回転できるシャフト２２とを有する。本実施形態において、モータ部２は外転形ブラシレスモータ部である。シャフト２２は一端が外部装置４を駆動する駆動端２２１であり、他端が固定端２２２である。モータ部２はシャフト２２の駆動端２２１が下方の固定座１の穿孔１１を貫通し、外部装置４に接続されることによって外部装置４を駆動することができる。
【０００８】
ハウジング３は、内部に形成された格納空間３１を有する。本実施形態において、ハウジング３は上下の両端に開口部を有する筒状筒部３２と、上端の開口部に被さる蓋部３３と、それらから囲まれて形成された格納空間３１とを有する。蓋部３３と筒部３２から構成されるハウジング３は、下方の固定座１に被さり、格納空間３１にモータ部２を格納する。蓋部３３、筒部３２および固定座１はそれぞれ相互に対応する複数の締付孔３３１、３２１、１２を有する。締付ユニット５は蓋部３３の締付孔３３１に差し込まれ、筒部３２の締付孔３２１を貫通し、固定座１の締付孔１２に締め付けられることで蓋部３３、筒部３２および固定座１を固定する。
【０００９】
蓋部３３は、底面上のシャフト２２の固定端２２２に対応する部位を陥没させて形成した格納室３３２を有する。格納室３３２は支持ユニットを有する。シャフト２２の固定端２２２は上方の格納室３３２に入り込み、支持ユニットに接続される。本実施形態において、支持ユニットはベアリング２３である。ベアリング２３は外輪２３１が格納室３３２に固定される。シャフト２２の固定端２２２は上方のベアリング２３の回転できる内輪２３２内に接続される。
【００１０】
上述したとおり、本考案による駆動装置において、モータ部２のシャフト２２に対し、固定座１は固定される。筒状筒部３２と蓋部３３から構成されるハウジング３は固定座１の上に締め付けられ、固定されるため、モータ部２のシャフト２２に対し固定された一部分となる。従って、本考案はハウジング３のシャフト２２とベアリング２３とを連結することによって固定効果を生じ、シャフト２２に足りない支持力を強化することができるだけでなく、シャフト２２の外力に襲われて受けた衝撃力をベアリング２３が吸収することによってシャフト２２が損壊してしまうような事態を減少させることができる。
【００１１】
以上、本考案は、上記実施形態になんら限定されるものではなく、考案の趣旨を逸脱しない範囲において種々の形態で実施可能である。
【符号の説明】
【００１２】
１：固定座、  
１１：穿孔、
１２：締付孔、
２：モータ部、
２１：本体、
２２：シャフト、
２２１：駆動端、
２２２：固定端、
２３：ベアリング（支持ユニット）、
２３１：外輪、
２３２：内輪、
３：ハウジング、
３１：格納空間、
３２：壁面、
３２１：締付孔、
３３：蓋部、
３３１：締付孔、
３３２：格納室、
４：外部装置、
５：締付ユニット。
【図１】
0003185099.tif 000003
【図２】
0003185099.tif 000004
【図３】
0003185099.tif 000005